(57)【特許請求の範囲】
【請求項１】
少なくとも一部が地盤に埋設される測量用杭または係止用杭からなる樹脂製の埋設材であって、地盤に埋入する部分に、生長して地盤内の埋設材の埋入周辺部に根を張る植物の種子を含んだ発芽材が取り付けられている埋設材。
【請求項２】
請求項１において、前記発芽材が肥料を含んでいる埋設材。
【請求項３】
請求項１または２において、前記地盤に埋入する部分に埋設材を横断する貫通孔が形成され、この貫通孔に前記発芽材が挿入されている埋設材。
【請求項４】
請求項３において、前記貫通孔は、埋設材が所定の姿勢で地盤に埋設されたとき、水平方向に対し傾斜するように設定されている埋設材。
【発明の詳細な説明】
【０００１】
【発明の属する技術分野】
本発明は、例えば土地の境界表示などに用いる測量用杭、農業用ハウスのビニルシートの係止用杭、山などの斜面に土砂や岩石崩れ防止用として張設するネットの係止用杭、遊歩道などを形成するステップ材、または、駅前ロータリなどで花壇を形成する縁材などとして使用される埋設材に関するものである。
【０００２】
【従来の技術】
一般に、この種の埋設材のうち杭は、頭部と、その一端側に連続状に設ける先鋭部をもった主部とを備え、前記頭部を叩いて先鋭部側から主部を地盤に打ち込むことにより固定し、また、ステップ材や縁材などは、その一部を地面に掘った穴に埋設することにより固定するようにしている。
【０００３】
【発明が解決しようとする課題】
ところが、このような埋設材は、軟弱な地盤などに埋設したとき、いたずら等により簡単に引き抜かれてしまう。
【０００４】
そこで、本発明の目的は、いだすら等により埋設材が地盤から引き抜かれるのを防止することにある。
【０００５】
【課題を解決するための手段】
上記目的を達成するために、本発明の測量用杭または係止用杭からなる樹脂製の埋設材は、地盤に埋入する部分に、生長して地盤内の埋設材の埋入周辺部に根を張る植物の種子を含んだ発芽材を取り付けている。
【０００６】
上記構成によれば、埋設材を地盤に埋設した後、発芽材中の植物の種子が発芽生長して、埋設材の埋入周辺部に根を張ることにより、この根が抵抗となって埋設材のいたずら等による引き抜きが阻止される。
【０００７】
本発明の好ましい実施形態では、発芽材に肥料を含有させている。この実施形態によれば、含有肥料により発芽材中の種子の生長が促進される。
【０００８】
また、別の好ましい実施形態では、埋設材の地盤に埋入する部分に、埋設材を横断する貫通孔を形成して、この貫通孔に発芽材を挿入している。この実施形態によれば、埋設材を地盤に打ち込んで埋設する際、発芽材が抵抗となることがないから、打ち込みが容易となり、さらに、発芽材中の種子が発芽生長して貫通孔の長さ方向両側から埋設材の周辺部に良好に根を張る。
【０００９】
さらに、他の好ましい実施形態では、埋設材が所定の姿勢で地盤に埋設されたとき、貫通孔が水平方向に対し傾斜するように設定している。この実施形態によれば、埋設材を地盤に埋設したとき、貫通孔に水が入り易くなって、発芽材中の種子の発芽生長が促進される。また、種子の芽は太陽に向かって上方に、根は地盤に向かって下方に延びようとするが、以上のように、貫通孔を傾斜状に設けることにより、種子の芽と根が上下に振り分けられて良好に生長する。
【００１０】
【発明の実施の形態】
以下、本発明の実施形態を図面に基づいて説明する。
図１，図２は、埋設材の一例として測量用杭１を示しており、図１において杭１は、たとえば、樹脂成形時に生じる樹脂かすや樹脂製品の廃物などを原料とするリサイクル樹脂からなり、先鋭部１０をもった地盤Ａ（図２）に打ち込まれる細長い４角棒状の主部１１と、その頂部側に連続状に設けられて主部１１よりも大形の、平面視で四角形の頭部１２とを備えている。
【００１１】
前記頭部１２の頂面側には、番号や記号のような標示２０を上面に付した金属又は樹脂製のキャップ１３を取付けている。また、場合によっては、前記頭部１２の内部に、外部から磁界が付加されたとき、その杭に特有の周波数の電磁波を発生する磁気識別体が収納される。この磁気識別体としては、たとえば特表平３ー５０１３０３号公報（１９９１年３月２２日公表）に記載されたマーカーが好適に使用される。
【００１２】
そして、前記測量用杭１の地盤Ａからの引き抜きを阻止するため、次のような構造を採用する。つまり、同各図に示すように、前記主部１１における頭部１２よりの個所に、主部１１を横断する丸孔状の貫通孔２を、杭１が地盤Ａに鉛直方向に向いた所定の姿勢で埋設されたとき、水平方向となるように形成して、この貫通孔２内に、生長して地盤に根を張る植物の種子３１と肥料３２とを含有する円柱状に成形された発芽材３を挿入する。
【００１３】
前記貫通孔２は、図３に示すように、杭１が地盤Ａに前記所定の姿勢で埋設されたとき、水平方向に対し上下傾斜状に設けるのがより好ましい。同図の実施形態では、前記頭部１２を貫通して、その一方の側壁面での開口２ａが高位となり、他方の側壁面での開口２ｂが低位となるように、前記貫通孔２を傾斜状に形成し、また、前記主部１１には、水平方向に延びる挿通孔１４を形成している。そして、前記貫通孔２に発芽材３を挿入し、一方、主部１１側の挿通孔１４は、発芽材３を挿入することなく開口させたままの状態としている。
【００１４】
前記頭部１２に設ける傾斜状の貫通孔２は、測量用杭１を、頭部１２の一部を残して地盤Ａに打ち込んだとき、その上方側開口２ａが地表面から約５ｃｍほど下に位置されるように形成することが好ましい。このようにすれば、種子３１の芽が地表面上に延びて良好に発芽する。
【００１５】
前記頭部１２には、複数本の貫通孔２を形成することができる。図４の実施形態では、頭部１２の対向壁面間に互いに交差するように２本の貫通孔２を傾斜状に設け、また、図５の実施形態では、頭部１２の互いに隣接する壁部間に延びる２本の貫通孔２を傾斜状に設けている。なお、これら各貫通孔２は、３本以上設けることもできる。
【００１６】
前記発芽材３は、たとえば地盤の水により溶けるデンプンなどからなる糊を用い、この糊に種子３１と肥料３２を混入して成形する。種子３１の種類としては、地上に出ようとする芽の部分が小さく、地盤内へ延びる根の部分が大きいものが好ましく、たとえば、タンポポ、大根のほか、ガクウツギのような雪の下科の落葉樹を用いることができる。また、発芽材３は、水溶性ポリエチレンなどからなるカプセルや袋を用い、その内部に種子３１と肥料３２を装填して形成してもよい。このようにすれば、測量用杭１を地盤Ａに打ち込んだ後、糊やカプセルなどが地盤の水により経時的に溶けるため、内部の種子３１が容易に発芽する。さらに、発芽材３中には、保水材として堆肥やバーク材などを一緒に混入させてもよい。
【００１７】
次に、以上の測量用杭１の作用について説明する。
たとえば、測量後に土地の境界表示などを行うため、図２，図３に示すように、測量用杭１を地盤Ａに打ち込むときには、前記頭部１２側を叩いて、先鋭部１０から主部１１を地盤Ａ内に進入させ、頭部１２の一部が地上に出る位置まで地盤Ａに打ち込んだのち、キャップ１３を被せる。この打込の際、前記発芽材３は主部１１や頭部１２に形成した貫通孔２内に挿入されているので、この発芽材３が抵抗となることなく、前記杭１の地盤Ａへの打ち込みを容易に行える。
【００１８】
そして、所定期間が経過した後、前記発芽材３中の種子３１が発芽し、含有肥料３２により生長が促進されながら、前記貫通孔２の長さ方向両側から測量用杭１の打ち込み周辺部に根３０を張ることにより、この根３０が抵抗となって前記杭１のいたずら等による引き抜きが防止される。
【００１９】
このとき、図３のように、前記頭部１２に貫通孔２を上下傾斜状に設けることにより、測量用杭１を地盤Ａに打ち込んだ後、散布された水や雨水などが貫通孔２に入り易くなって、発芽材３中の種子３１の発芽生長が促進される。また、種子３１の芽は太陽に向かって上方に、根は下方に延びようとするが、以上のように、貫通孔２を傾斜状に設けることにより、種子３１から延びる芽３０ａと根３０が上下に振り分けられ、この芽３０ａが貫通孔２の上方側開口２ａから地表面上に、根３０は下方側開口２ｂから地盤に延びて良好に生長する。
【００２０】
また、図３のように、頭部１２側の貫通孔２に発芽材３を挿入し、主部１１側の挿通孔１４は、発芽材３を挿入することなく開口状態に保持しておくことにより、前記挿通孔１４に、発芽材３中の種子３１から延びる根３０の一部や、近くに生えている草木４の根４０の一部が侵入して絡むことになるので、測量用杭１の引き抜きがさらに効果的に防止される。
【００２１】
前記杭１としては、丸棒状のものなど種々の形状のものを使用できる。前記キャップ１３は無くてもよい。キャップ無しの場合は杭１の頭部１２の頂面が、キャップ付きの場合はその上面が、それぞれ地面と面一になるまで杭１を地盤Ａに打ち込んでもよい。また、前記発芽材３を杭１に取り付けるに際しては、この杭１の一部に、杭１を貫通しない凹部を設けて、この凹部に前記発芽材３を保持させるようにしてもよい。さらに、発芽材３は肥料３２を含まないものとしてもよい。
【００２２】
以上の実施形態では測量用杭について説明したが、本発明は、農業用ハウスのビニルシートを係止するための杭、又は山などの斜面に張設する土砂や岩石崩れ防止用ネットを係止するための杭などにも適用できる。
【００２３】
図６は、本発明の他の実施形態として階段状の遊歩道を形成するステップ材５を示しており、このステップ材５は、たとえばリサイクル樹脂で形成された長尺な矩形部材からなり、高、低階段部Ｂ，Ｂの境界部分に埋設されて、低い側の階段部Ｂに面する前面５ａを杭Ｃ，Ｃで支持することにより、高低段差のある遊歩道を形成するようにしている。
【００２４】
そして、前記ステップ材５の前面５ａと後面５ｂのうち、階段部Ｂ，Ｂに埋入される部分に、上下傾斜状に延びる貫通孔２を形成して、この貫通孔２に発芽材３を挿入する。
【００２５】
このような構成によれば、前記発芽材３の種子３１が発芽して、貫通孔２の下部側から根３０が、また、上部側からは芽３０ａが延びるので、これら根３０や芽３０ａにより各階段部Ｂの境界部分にステップ材５が固定され、このステップ材５のいたずら等による引き抜きが防止される。なお、前記ステップ材５は、平面視Ｌ形状またはＵ形状としてもよい。
【００２６】
図７は、本発明のさらに他の実施形態として、駅前ロータリなどの花壇を形成する疑木状の縁材６を示しており、この縁材６は、円柱形状とされ、その多数個をアスファルトなどの舗装面Ｄと花壇Ｅの境界部分に下方一部が地盤に埋入するように並設することにより、舗装面Ｄよりも高位の花壇Ｅを形成するようにしている。
【００２７】
そして、前記縁材６の舗装面Ｄと花壇Ｅの境界部に埋入される部分に、上下傾斜状に延び、内部に発芽材３が挿入される貫通孔２を形成する。このような構成によれば、貫通孔２の下部側から根３０が舗装面Ｄの下方に延び、また、上部側からは芽３０ａが花壇Ｅの上方へと延びるので、これら根３０や芽３０ａにより舗装面Ｄと花壇Ｅの境界部に縁材６が固定され、この縁材６のいたずら等による引き抜きが防止される。
【００２８】
前記縁材６は、図８に示すように、複数個を１パーツとして、たとえば樹脂で一体形成し、その複数個所に前述したものと同様の貫通孔２を形成してもよい。
【００２９】
図９は、本発明のさらに他の実施形態として、マンホール用の縦穴部材７を示している。この縦穴部材７は、たとえば樹脂で形成され、上下方向に延びる筒部７１の上部側に径方向外方に突出する鍔部７２を有し、この鍔部７２が地盤Ａと面一になるように筒部７１が地盤に埋設される。なお、図中、７３は前記筒部７１の上部開口に設ける蓋である。
【００３０】
そして、前記縦穴部材７の鍔部７２における地盤への埋入部分に、上下傾斜状に延びて、内部に発芽材３が挿入される複数の貫通孔２を形成する。このような構成によれば、貫通孔２の下部側から根３０が下方に延び、上部側からは芽３０ａが上方に延びるので、これら根３０や芽３０ａにより前記縦穴部材７が固定され、この縦穴部材７のいたずら等による引き抜きが防止される。
【００３１】
また、本発明は、図示しないが、家庭用の汚水桝にも適用でき、この場合、汚水桝の縁部に貫通孔を形成する。
【００３２】
【発明の効果】
以上のように、本発明によれば、埋設材に取り付けた発芽材中の種子を発芽生長させて、埋設材の埋入周辺部に根を張らせることにより、いたずら等による埋設材の引き抜きを防止できる。
【図面の簡単な説明】
【図１】本発明の一実施態様にかかる杭の斜視図である。
【図２】同杭の一部切欠した側面図である。
【図３】杭の別の実施態様を示す一部切欠した側面図である。
【図４】貫通孔の一変形例を示す杭一部の斜視図である。
【図５】貫通孔の別の変形例を示す杭一部の斜視図である。
【図６】本発明の他の実施態様にかかる遊歩道形成用ステップ材の斜視図である。
【図７】本発明のさらに他の実施態様にかかる花壇形成用縁材の斜視図である。
【図８】縁材の変形例を示す斜視図である。
【図９】本発明のさらに他の実施態様にかかる縦穴部材の側断面図である。
【符号の説明】
１，５，６…埋設材、２…貫通孔、３…発芽材、３０…根、３１…種子、３２…肥料、Ａ…地盤。
【図１】
0003676512.tif 000002
【図２】
0003676512.tif 000003
【図３】
0003676512.tif 000004
【図４】
0003676512.tif 000005
【図５】
0003676512.tif 000006
【図６】
0003676512.tif 000007
【図７】
0003676512.tif 000008
【図８】
0003676512.tif 000009
【図９】
0003676512.tif 000010